(57)【特許請求の範囲】
【請求項１】
送信無線周波数の信号に適合する送信用アンテナを含むｎ個（ｎ＝１，２，・・・）の送信系と、受信無線周波数の信号に適合する受信用アンテナを含むｎ個の受信系とを備え、前記送信用アンテナと前記受信用アンテナとを既知の結合量で交互に隣接配置して周波数分割複信方式の無線通信を行う基地局装置であって、
前記送信系は、
前記送信無線周波数の電力を第１の線路を介して前記送信用アンテナに供給する送信用増幅器と、前記第１の線路と結合して該線路で伝送される電力の一部を取り出す第１の結合器と、を備え、
前記受信系は、前記受信用アンテナで受信された電力を第２の線路を介して入力する受信用増幅器と、前記第２の線路と前記受信用増幅器の出力電力を伝送する第３の線路の内の一方に結合して、その結合した線路で伝送される電力の一部を取り出す第２の結合器と、を備え、
前記第１の結合器で取り出される電力に基づいて、前記第１の線路における前記第１の結合器の結合部位よりも前記送信用増幅器側の線路部位の異常を判断し、前記第２の結合器で取り出される電力に含まれた前記送信無線周波数の電力に基づいて、前記第１の結合器の結合部位から前記第２の結合器の結合部位に至る伝送路の異常を判断する異常判断手段を設けた、ことを特徴とする基地局装置。
【請求項２】
前記受信系は、前記第２の線路と第３の線路の内の他方に結合して、その結合した線路で伝送される電力の一部を取り出す第３の結合器を更に備え、
前記異常判断手段は、前記第２の結合器で取り出される電力に含まれた前記送信無線周波数の電力と、前記第３の結合器で取り出される電力に含まれた前記送信無線周波数の電力とに基づいて、前記第２の結合器の結合位置から前記第３の結合器の結合位置に至る区間の伝送経路の異常を判断するように構成されていることを特徴とする請求項１に記載の基地局装置。
【請求項３】
前記受信系は、前記第２の線路と第３の線路の内の他方に結合して、その結合した線路で伝送される電力の一部を取り出す第３の結合器を更に備え、
前記異常判断手段は、前記第２の結合器で取り出される電力に含まれた前記受信無線周波数の電力と、前記第３の結合器で取り出される電力に含まれた前記受信無線周波数の電力とに基づいて、前記第２の結合器の結合位置から前記第３の結合器の結合位置に至る区間の伝送経路の異常を判断するように構成されていることを特徴とする請求項１に記載の基地局装置。
【請求項４】
前記送信系が前記送信用アンテナを複数備え、前記受信系が前記受信用アンテナを複数備えることを特徴とする請求項１に記載の基地局装置。
【発明の詳細な説明】
【技術分野】
【０００１】
本発明は、移動通信システムの基地局装置に係わり、特に送信用アンテナと受信用アンテナ索子を含めた送信系と受信系の状態監視を行なう技術に関するものである。
【背景技術】
【０００２】
移動通信システムなどで使用される無線機器においては、送信用増幅器の出力電力の状態を監視し、その状態をフィードバックして該出力電力の値や品質を一定に保つ制御がなされる。また、上記出力電力の状態に基づいて送信用増幅器の動作の正常、異常を判断し、異常であると判断した場合に、送信電力を遮断することや、上流装置へ警報を送信することも行われている。
【０００３】
上記送信用増幅器の出力電力の状態を監視する一般的な手段として結合器が使用される。この結合器は、送信用増幅器と送信用アンテナとの間に設けられた給電用線路（ケーブルやプリント配線等によって構成される）との電磁的な結合によって送信用増幅器の出力電力の一部を取り出すものであるので、取り出した電力が送信用増幅器の出力電力の状態を表すことになる（例えば、特許文献１参照）。
また、送信状態をモニタする専用の受信系を追加するという手段も提案されている（例えば、特許文献２参照）。
【先行技術文献】
【特許文献】
【０００４】
【特許文献１】特開平７−１４３０５４号公報
【特許文献１】特開２００３−２３４６８５号公報
【発明の概要】
【発明が解決しようとする課題】
【０００５】
しかし、上記送信用増幅器の出力側に結合器を配置する構成では、次のような不都合が発生する。すなわち、上記給電用線路における結合器の結合部位よりも送信用増幅器側に位置した線路部位で断線が生じた場合には、結合器の出力が消失するので、これに基づいてこの断線を検出することができる。一方、上記給電用線路における結合器の結合部位よりも送信用アンテナ側に位置した部位で断線が生じた場合には、結合器の出力が消失しないので、その断線を検出することができない。
一方、モニタ用受信系を追加するという手段には、次のような問題がある。すなわち、モニタ用受信系が１つだけでは複数の送信系の内のどの送信系が故障しているかを特定することができないので、このモニタ用受信系を送信系の数だけ使用することになる。この結果、モニタ用アンテナ等を送信系の数だけ設けることになって、回路規模が大きくなってしまうという問題を生じる。
【０００６】
本発明は、このような従来の問題点を解決するためになされたものであり、モニタ用受信系を設けることなく送信用アンテナ及び受信用アンテナを含む伝送路の状態を監視することができる基地局装置を提供することを目的とする。
【課題を解決するための手段】
【０００７】
本発明は、送信無線周波数の信号に適合する送信用アンテナを含むｎ個（ｎ＝１，２，・・・）の送信系と、受信無線周波数の信号に適合する受信用アンテナを含むｎ個の受信系とを備え、前記送信用アンテナと前記受信用アンテナとを既知の結合量で交互に隣接配置して周波数分割複信方式の無線通信を行う基地局装置である。前記送信系は、前記送信無線周波数の電力を第１の線路を介して前記送信用アンテナに供給する送信用増幅器と、前記第１の線路と結合して該線路で伝送される電力の一部を取り出す第１の結合器と、を備え、前記受信系は、前記受信用アンテナで受信された電力を第２の線路を介して入力する受信用増幅器と、前記第２の線路と前記受信用増幅器の出力電力を伝送する第３の線路の内の一方に結合して、その結合した線路で伝送される電力の一部を取り出す第２の結合器と、を備える。そして、前記第１の結合器で取り出される電力に基づいて、前記第１の線路における前記第１の結合器の結合部位よりも前記送信用増幅器側の線路部位の異常を判断し、前記第２の結合器で取り出される電力に含まれた前記送信無線周波数の電力に基づいて、前記第１の結合器の結合部位から前記第２の結合器の結合部位に至る伝送路の異常を判断する異常判断手段が設けられる。
【０００８】
前記受信系は、前記第２の線路と第３の線路の内の他方に結合して、その結合した線路で伝送される電力の一部を取り出す第３の結合器を更に備えることができる。この場合、  前記異常判断手段は、前記第２の結合器で取り出される電力に含まれた前記送信無線周波数の電力と、前記第３の結合器で取り出される電力に含まれた前記送信無線周波数の電力とに基づいて、前記第２の結合器の結合位置から前記第３の結合器の結合位置に至る区間の伝送経路の異常を判断するように構成される。
【０００９】
前記受信系は、前記第２の線路と第３の線路の内の他方に結合して、その結合した線路で伝送される電力の一部を取り出す第３の結合器を更に備えることができる。この場合、前記異常判断手段は、前記第２の結合器で取り出される電力に含まれた前記受信無線周波数の電力と、前記第３の結合器で取り出される電力に含まれた前記受信無線周波数の電力とに基づいて、前記第２の結合器の結合位置から前記第３の結合器の結合位置に至る区間の伝送経路の異常を判断するように構成される。
【００１０】
前記送信系は前記送信用アンテナを複数備えることができ、また、前記受信系は前記受信用アンテナを複数備えることができる。
【発明の効果】
【００１１】
本発明によれば、送信用アンテナと受信用アンテナとの問の結合量が既知であることを利用して、送信系から放射される送信無線周波数に係る高周波信号の電力を受信系で受信させ、その受信した電力に基づいて送信用アンテナ及び受信用アンテナを含む伝送路の状態監視を行なう。従って、モニタ用受信系を追加配置して状態監視を行なう場合に比して構成の簡素化及び低廉化を図ることができる。
【図面の簡単な説明】
【００１２】
【図１】本発明に係る基地局装置の一実施形態を示すブロック図である。
【図２】図１の基地局装置におけるアンテナ間の結合量を示す概略図である。
【図３】本発明に係る基地局装置の他の実施形態を示すブロック図である。
【発明を実施するための形態】
【００１３】
図１に本発明に係る基地局装置の一実施形態を示す。本実施形態の基地局装置は、いわゆる周波数分割複信方式の無線通信を行うものであって、ｎ個の送信系Ｔ１〜Ｔｎと、ｎ個の受信系Ｒ１〜Ｒｎと、無線部４とを備えている。
送信系Ｔ（Ｔ１〜Ｔｎ）は、送信用増幅器１、結合器２及び送信用アンテナ３を有し、無線部４から出力される中心周波数が送信無線周波数ｆＴである高周波信号を送信用増幅器１を介して送信用アンテナ３に入力するとともに、この送信用増幅器１から出力される高周波信号の一部を結合器２によって取り出して無線部４に監視信号としてフィードバックする。結合器２は、送信用増幅器１と送信用アンテナ３を接続する線路の途中に例えば電磁的に結合される。
【００１４】
受信系Ｒ（Ｒ１〜Ｒｎ）は、受信用アンテナ５、結合器６、受信用増幅器７、結合器８及び検波器９を備え、受信用アンテナ５で受信した電力を受信用増幅器７とで増幅して無線部４に入力するとともに、この受信した電力の一部を結合器６によって取り出して検波器９に入力する。また、受信用増幅器７の出力信号の一部を結合器８によって取り出して検波器９に入力する。
結合器６は受信用アンテナ５と受信用増幅器７を接続する線路の途中に、また、結合器８は受信用増幅器７の出力側に接続された線路の途中にそれぞれ例えば電磁的に結合されている。
【００１５】
送信系Ｔ（Ｔ１〜Ｔｎ）の送信用アンテナ３と受信系Ｒ（Ｒ１〜Ｒｎ）の受信用アンテナ５は、既知の結合量となるように交互に隣接して配置されている。
図２に示すように、隣り合う送信用アンテナ３と受信用アンテナ５間の結合量をＬｃ１［ｄＢ］とすると、隣り合う送信用アンテナ３間及び隣り合う受信用アンテナ５間の結合量はそれぞれＬｃ２［ｄＢ］である。ここで、結合量Ｌｃ２は結合量Ｌｃ１に比べて非常に小さい（Ｌｃ２＜＜Ｌｃ１）ものとする。
【００１６】
送信系Ｔの送信用アンテナ３からは、中心周波数が送信無線周波数ｆＴの無線信号が携帯端末等の通信用移動体に送信される。一方、受信系Ｒの受信用アンテナ５は、通信用移動体からの中心周波数が受信無線周波数ｆＲ（≠ｆＴ）の無線信号と共に、当該受信用アンテナ５に隣接する、つまり、当該受信用アンテナ５との結合量がＬｃ１［ｄＢ］である送信用アンテナ３から回り込んでくる中心周波数が送信無線周波数ｆＴの無線信号をも受信する。なお、当該受信用アンテナ５との結合量がＬｃ２［ｄＢ］よりも小さい非隣接送信用アンテナ３からの無線信号はゼロもしくは無視可能なレベルを示す。
従って、受信系Ｒの結合器６、８によって取り出される電力には、受信無線周波数ｆＲに係る電力だけでなく、送信無線周波数ｆＴに係る電力も含まれることになる。後述するように、本実施形態の基地局装置は、結合器６または結合器８によって取り出される中心周波数ｆＴの電力を利用して、送信系Ｔ及び受信系Ｒの所定部位の状態を監視するようにしている。
【００１７】
検波器９は、結合器６によって取り出される電力の中から送信無線周波数ｆＴに係る電力の成分を抽出するフィルタ回路と、このフィルタ回路によって抽出された電力成分を検波して対応する第１直流電圧に変換する変換回路と、結合器８によって取り出される電力の中から送信無線周波数ｆＴに係る電力の成分を抽出するフィルタ回路と、このフィルタ回路によって抽出された電力成分を検波して対応する第２直流電圧に変換する変換回路とを内蔵し、上記第１、第２直流電圧を第１、第２監視信号電圧として無線部４に出力する。
【００１８】
受信系Ｒ１〜Ｒｎ−１における受信用アンテナ５に対して結合量Ｌｃ１［ｄＢ］で結合する隣接送信用アンテナ３は２つである。すなわち、例えば、受信系Ｒｎ−１の受信用アンテナ５に対して結合量Ｌｃ１［ｄＢ］で結合する隣接送信用アンテナ３は、送信系Ｔｎ−１の送信用アンテナ３と送信系Ｔｎの送信用アンテナ３の２つである。これに対して、受信系Ｒｎの受信用アンテナ５に対して結合量Ｌｃ１［ｄＢ］で結合する隣接送信用アンテナ３は、送信系Ｔｎの送信用アンテナ３のみである。
【００１９】
したがって、各送信系Ｔ１〜Ｔｎの送信電力がそれぞれ同じ電力Ｐ［ｄＢｍ］であるとすると、受信系Ｒ１〜Ｒｎ−１で受信される中心周波数ｆＴの高周波信号の電力はそれぞれ（Ｐ−Ｌｃ１＋３）［ｄＢｍ］となり、また、受信系Ｒｎで受信される中心周波数ｆＴの高周波信号の電力は（Ｐ−Ｌｃ１）［ｄＢｍ］となる。つまり、受信系Ｒ１〜Ｒｎ−１で受信される高周波信号の電力は、受信系Ｒｎで受信されるそれよりも３ｄＢ大きくなる。
なお、受信系Ｒ１〜Ｒｎ−１で受信された中心周波数ｆＴの高周波信号の電力は、対応する受信用アンテナ５及び結合器６を含む伝送経路での損失分だけ低減されて検波器９に入力され、また、対応する受信用アンテナ５、増幅器７及び結合器８を含む伝送経路での損失分だけ低減されて検波器９に入力される。
【００２０】
ところで、送信系Ｔ（Ｔ１〜Ｔｎ）の増幅器１と送信用アンテナ５のアンテナ素子との間に設けられた給電用の線路（ケーブルやプリント配線等によって構成される）において、断線や接続不良等の異常が発生すると、その送信系Ｔの送信用アンテナ３に高周波信号が伝達されなくなる。
このような異常が増幅器１から結合器２の結合部位に至る線路区間に発生した場合には、結合器２から無線部４にフィードバックされる監視信号が消失するので、無線部４において上記の異常を検出することができる。ところが、上記異常が結合器２の結合部位から送信用アンテナ５に至る線路区間で発生した場合には、結合器２から無線部４にフィードバックされる監視信号が正常な値を示すことから、無線部４において上記の異常を検知することができない。
【００２１】
そこで、本実施形態では、結合器２の結合部位から送信用アンテナ５に至る線路区間で発生する異常を次のようにして検出している。
すなわち、例えば、送信系Ｔ１に上記のような異常が生じると、該送信系Ｔ１の送信用アンテナ３に高周波信号が伝達されなくなる。この結果、受信系Ｒ１における中心周波数ｆＴの受信電力は、（Ｐ−Ｌｃ１＋３）［ｄＢｍ］から送信系Ｔ１の送信電力Ｐ［ｄＢｍ］分低下して、つまり３ｄＢ低下して、（Ｐ−Ｌｃ１）［ｄＢｍ］になる。
これに伴い、受信系Ｒ１の検波器９から出力される第１直流電圧（第１監視信号電圧）は、電力（Ｐ−Ｌｃ１＋３）［ｄＢｍ］に対応するＶＨから電力（Ｐ−Ｌｃ１）［ｄＢｍ］に対応するＶＭまで低下する。
なお、送信系Ｔ１に上記のような異常が生じても、他の受信系Ｒ２〜Ｒｎの受信電力はその影響を受けない。なぜなら、送信系Ｔ１の送信用アンテナ３と受信系Ｒ２〜Ｒｎの受信用アンテナ５との間の結合量は、いずれもＬｃ２よりも小さいからである。
【００２２】
次に、ｎ−１番目の送信系Ｔｎ−１において上記のような異常が生じた場合を説明する。この場合、この送信系Ｔｎ−１の送信用アンテナ３に高周波信号が伝達されなくなるので、受信系Ｒｎ−２（図２参照）及び受信系Ｒｎ−１における中心周波数ｆＴの受信電力がそれぞれ送信系Ｔｎ−１の送信電力Ｐ［ｄＢｍ］分低下する。すなわち、受信系Ｒｎ−２，Ｒｎ−１の受信電力が、それぞれ（Ｐ−Ｌｃ１＋３）［ｄＢｍ］から（Ｐ−Ｌｃ１）［ｄＢｍ］まで低下する。この結果、受信系Ｒｎ−２，Ｒｎ−１では、検波器９から出力される第１直流電圧（第１監視信号電圧）がそれぞれＶＨからＶＭまで低下することになる。他の受信系の受信電力は変化しない。
【００２３】
次に、ｎ番目の送信系Ｔｎにおいて上記のような異常が生じた場合を説明する。この場合、この送信系Ｔｎの送信用アンテナ３に高周波信号が伝達されなくなるので、受信系Ｒｎ−１及び受信系Ｒｎにおける中心周波数ｆＴの受信電力がそれぞれ送信系Ｔｎの送信電力Ｐ［ｄＢｍ］分低下する。これにより、受信系Ｒｎ−１の受信電力は（Ｐ−Ｌｃ１＋３）［ｄＢｍ］から（Ｐ−Ｌｃ１）［ｄＢｍ］まで低下し、また、受信系Ｒｎの受信電力は（Ｐ−Ｌｃ１）［ｄＢｍ］から所定値まで大きく低下することになる。この結果、受信系Ｒｎ−１の検波器９から出力される第１直流電圧がＶＨからＶＭまで低下し、受信系Ｒｎの検波器９から出力される第１直流電圧がＶＭからＶＬまで低下する。他の受信系の受信電力は変化しない。
【００２４】
以上をまとめると、以下のようになる。
［送信系Ｔ１の異常］
・受信系Ｒ１における周波数ｆＴの受信電力
（Ｐ−Ｌｃ１＋３）［ｄＢｍ］から（Ｐ−Ｌｃ１）［ｄＢｍ］に変化
・受信系Ｒ１の第１直流電圧
ＶＨからＶＭに変化
【００２５】
［送信系Ｔｎ−１の異常］
・受信系Ｒｎ−２，Ｒｎ−１における周波数ｆＴの受信電力
（Ｐ−Ｌｃ１＋３）［ｄＢｍ］から（Ｐ−Ｌｃ１）［ｄＢｍ］に変化
・受信系Ｒｎ−２，Ｒｎ−１の第１直流電圧
ＶＨからＶＭに変化
【００２６】
［送信系Ｔｎの異常］
・受信系Ｒｎ−１の受信電力
（Ｐ−Ｌｃ１＋３）［ｄＢｍ］から（Ｐ−Ｌｃ１）［ｄＢｍ］に変化
受信系Ｒｎ−１の第１直流電圧
ＶＨからＶＭに変化
・受信系Ｒｎの受信電力
（Ｐ−Ｌｃ１）［ｄＢｍ］から大きく低下
・受信系Ｒｎの第１直流電圧
ＶＭからＶLに変化
【００２７】
このように、送信系Ｔ１〜Ｔｎの内のいずれかに上記のような異常が発生した場合には、その異常が発生した送信系に隣接する受信系の第１直流電圧のレベルが低下（ＶＨ→ＶＭまたはＶＭ→ＶL）することになる。
【００２８】
無線部４は、送信系Ｔ１〜Ｔｎの上記異常を個別に判断するための参照データ（第１直流電圧に係る異常判定用参照データ）をテーブルとして記憶させたメモリと、受信系Ｒ１〜Ｒｎの検波器９から入力される第１直流電圧をＡ／Ｄ変換するＡ／Ｄ変換器と、そのＡ／Ｄ変換結果を上記メモリの記憶内容と照合することによって送信系Ｔ１〜Ｔｎの異常を個別に判断する判断回路とを備え、この判断回路によって異常を判断した際には、その異常発生箇所を表示装置に表示するとともに、異常を生じた送信系の送信動作を停止させる。また、必要に応じて上流装置へ警告を通報する等の処理も実行する。
【００２９】
このように、本実施形態に係る基地局装置によれば、送信用増幅器１から結合器２の結合部位に至る線路部位の異常だけでなく、結合器２の結合部位から送信用アンテナ５の素子導体に至る線路部位の異常をも判断することができる。
ところで、第１直流電圧の変化（レベル低下）は、受信用アンテナ５から結合器６の結合部位に至る線路部位の異常（断路）によっても生じる。従って、本実施形態によれば、送信用増幅器１から結合器２の結合部位に至る線路区間と、結合器２の結合部位から受信系Ｒにおける結合器６の結合部位に至る伝送区間（送信用アンテナ３及び受信用アンテナ５が含まれている）とを含む部分に対する異常判断が可能である。
【００３０】
なお、無線部４は、結合器２からのフィードバック信号に基づいて送信系Ｔにおける異常（断路）を検出した場合にも、異常発生箇所を表示装置に表示させ、かつ、異常を生じた送信系の送信動作を停止させる等の処理を実行する。
また、無線部４は、結合器２からのフィードバック信号に基づいて送信用増幅器１のゲインを調整して送信電力を一定に制御する。
更に、無線部４は、結合器６または結合器８からの監視信号に基づいて受信用増幅器７の過入力をチェックし、過入力の場合に、該受信用増幅器７のゲインを低下させる処理、あるいは、その動作を停止させる処理を実行する。
一方、無線部４は、結合器６からの監視信号と結合器８からの監視信号とに基づいて受信用増幅器７のゲインを検出し、その検出結果に基づいて該受信用増幅器７のゲインを目標ゲインに一致させるという処理も実行する。
【００３１】
上記においては、第１直流電圧を用いて上述した部位の異常を判断している。しかし、結合器８によって取り出される送信無線周波数ｆＴの電力に基づく第２直流電圧も、第１直流電圧と同様に上述した部位の異常に伴ってレベルが低下するので、この第２直流電圧を用いて上述した部位の異常を判断するようにしてもよい。この場合、無線部４のメモリテーブルには、当然、上記第２直流電圧のレベル判断に適応する参照データが設定されることになる。
【００３２】
次に、受信系Ｒ（Ｒ１〜Ｒｎ）の状態監視について説明する。受信用増幅器７は、一般的に、受信無線周波数ｆＲに係る信号に対しては増幅作用を示すものの、送信無線周波数ｆＴの信号に対しては減衰作用を示す。したがって、上記第１直流電圧と上記第２直流電圧の間には上記減衰による一定の差が発生し、この電圧差は、結合器６と結合器８間が正常である間維持される。
結合器６の結合位置から結合器８間の結合位置に至る区間の伝送経路において断線や受信用増幅器７の故障等の異常が発生すると、結合器６によって取り出される送信無線周波数ｆＴに係る電力はその異常の影響を受けないものの、結合器８によって取り出される送信無線周波数ｆＴに係る電力がゼロもしくはそれに近い大きさまで低下する。従って、上記のような異常が生じた場合、第１直流電圧と第２直流電圧の差が異常発生前よりも大きくなる。
そこで、無線部４は、例えば第１直流電圧と第２直流電圧の差を演算し、その差の変化に基づいて結合器６と結合器８間の異常を判断し、その判断結果を表示器に表示する。また、必要に応じてその判断結果の基づく警告を上流装置に通報する。
【００３３】
ところで、受信系Ｒ（Ｒ１〜Ｒｎ）の状態監視は、中心周波数が受信無線周波数ｆＲである受信電力に基づいて検出することも可能である。
その場合、検波器９には、結合器６によって取り出される高周波信号の中から受信無線周波数ｆＲに係る電力成分を抽出し、その電力成分に基づいて第３直流電圧を生成する構成要素と、結合器８によって取り出される高周波信号の中から受信無線周波数ｆＲに係る電力成分を抽出し、その電力成分に基づいて第４直流電圧を生成する構成要素とが追加配設され、それらの構成要素で生成される第３直流電圧及び第４直流電圧が状態監視信号として無線部４に入力される。
【００３４】
結合器８によって取り出される受信無線周波数ｆＲに係る高周波信号の電力は、受信用増幅器７で増幅された電力に基づくものであるから、結合器６によって取り出される同電力よりも大きい。従って、通常時においては、「第３直流電圧＜第４直流電圧」という関係が成立する。しかし、結合器６の結合位置から結合器８間の結合位置に至る区間の伝送経路において断線や受信用増幅器７の故障等の異常が発生すると、上記とは逆に、結合器６によって取り出される上記電力の方が結合器８によって取り出される上記電力よりも大きくなるので、「第３直流電圧＞第４直流電圧」という関係が成立するとともに、第３直流電圧と第４直流電圧の差の絶対値も変化する。
そこで、無線部４は、例えば、第３直流電圧と第４直流電圧の差の正負に基づいて、あるいは、その差の絶対値の変化に基づいて上記の異常を判断する。
【００３５】
本発明は上記実施形態に限定されず、種々の変型態様を含むものである。
すなわち、例えば、図３に示すように、送信系Ｔ１〜Ｔｎの結合器２の後段側に分波器１０を設けて、送信用増幅器１の出力電力を複数の送信用アンテナ３（図では２つ）に供給するとともに、受信系Ｒ１〜Ｒｎの結合器６の前段側に分波器１１を設けて、複数の受信用アンテナ５（図では２つ）の受信電力を受信用増幅器７に入力するように構成してもよい。
また、上記実施形態ではｎ個の送信系Ｔ１〜Ｔｎとｎ個の受信系Ｒ１〜Ｒｎを配置しているが、それらの配置個数ｎは１でも良い。
更に、上記実施形態では、送信系Ｔ１〜Ｔｎから同じ電力Ｐ［ｄＢｍ］の高周波信号を放射させているが、各送信系Ｔ１〜Ｔｎから放射される電力は同一でなくても良い。
【符号の説明】
【００３６】
Ｔ１〜Ｔｎ  送信系
Ｒ１〜Ｒｎ  受信系
１  送信用増幅器
２  結合器
３  送信用アンテナ
４  無線部
５  受信用アンテナ
６  結合器
７  受信用増幅器
８  結合器
９  検波器
１０  分波器
１１  分波器
【図１】
0005389983.tif 000002
【図２】
0005389983.tif 000003
【図３】
0005389983.tif 000004